(57)【特許請求の範囲】
【請求項１】
表示画面を有する平板状の表示手段と、
前記表示手段の前記表示画面から距離Ｎだけ離れた箇所を頂点とする逆角錐の各側面に配置されている複数のミラーを備え、
前記各ミラーは、前記表示画面に対して傾斜角度θで傾斜しており、
前記表示画面には、前記各ミラーに対向する表示領域に表示画像が表示され、
前記距離Ｎは、前記各ミラーにより形成される、前記表示画面の各表示領域に表示される表示画像の虚像が、前記頂点を通る前記逆角錐の中心軸に結像されるように設定され、
前記傾斜角度θは、４５度より小さく設定され、
前記表示画面の各表示領域には、前記各ミラーが前記表示画面に対して傾斜角度４５度で傾斜するように配置されている場合に表示される表示画像を、前記傾斜角度θに対応する角度だけ下方から見た表示画像が表示されることを特徴とする表示装置。
【請求項２】
請求項１に記載の表示装置であって、
前記傾斜角度θは、［２０度≦θ≦３５度］の範囲内に設定されていることを特徴とする表示装置。
【請求項３】
請求項１または２に記載の表示装置であって、
前記各ミラーの境界と前記表示画面の前記各表示領域の境界との間に遮光部材が配置されていることを特徴とする表示装置。
【請求項４】
請求項１〜３のうちのいずれか一項に記載の表示装置であって、
前記表示手段は、前記各表示領域に対応する表示画面を有する複数の表示器により構成されていることを特徴とする表示装置。
【発明の詳細な説明】
【技術分野】
【０００１】
本発明は、表示装置に関し、特に、表示手段の表示画面に表示される、表示対象を異なる方向から見た複数の表示画像を、表示画面に対して傾斜して配置されている複数のミラーで反射させる表示装置に関する。
【背景技術】
【０００２】
画像を表示する表示装置として、例えば、非特許文献１に開示されている表示装置が知られている。図４に、非特許文献１に開示されている表示装置４００が示されている。
表示装置４００は、表示画面４２０ａを有する表示手段４２０、ミラー４３１ａ〜４３１ｆ、遮光板４４１ａ〜４４１ｆを備えている。
ミラー４３１ａ〜４３１ｆは、表示手段４２０の表示画面４２０ａ上の箇所Ｐを頂点とする逆正６角錐の側面に配置されている。ミラー４３１ａ〜４３１ｆは、表示手段４２０の表示画面４２０ａに対して傾斜角度４５度で傾斜するように配置されている。遮光板４４１ａ〜４４１ｆは、ミラー４３１ａ〜４３１ｆの境界と表示画面４２０ａの間に配置されている。
表示手段４２０の表示画面４２０ａの、各ミラー４３１ａ〜４３１ｆに対向する表示領域には、表示対象を異なる方向から見た表示画像が表示される。各ミラー４３１ａ〜４３１ｆは、表示画面４２０ａの対向する表示領域に表示される表示画像を反射させて虚像を形成する。表示画面４２０ａに対する各ミラー４３１ａ〜４３１ｆの傾斜角度が４５度に設定されているため、各ミラー４３１ａ〜４３１ｆにより形成される虚像は、頂点Ｐを通る、逆正６角錐の中心軸Ｙ上の同じ箇所に結像される。これにより、観察者は、見る位置に応じて、表示対象の異なる方向からの画像（虚像）を見ることができるため、表示対象を立体的に視認することができる。
【先行技術文献】
【非特許文献】
【０００３】
【非特許文献１】「小型で持ち運び可能な３６０度立体映像ディスプレ技術を開発−液晶ディスプレイの画面上に鏡を置いたシンプルな機構で実現」、インターネット＜URL：http://www.hitachi.co.jp/rd/portal/pdf/reserch/arl070806nrd_ic.pdf＞
【発明の概要】
【発明が解決しようとする課題】
【０００４】
非特許文献１に開示されている表示装置では、各ミラーは、表示画面に対して４５度傾斜するように配置されている。このため、表示画面より下方から表示装置を見た場合、見上げる位置（仰角）によっては、表示画面が邪魔になり、画像（虚像）全体を視認することができないことがある。すなわち、表示画面の下方における視認領域が狭い。
本発明は、このような点に鑑みて創案されたものであり、表示画面の下方の視認領域を広げることができる技術を提供することを目的とする。
【課題を解決するための手段】
【０００５】
本発明は、表示画面を有する平板状の表示手段と、表示手段の表示画面から距離Ｎだけ離れた箇所を頂点とする逆角錐の各側面に、表示画面に対して傾斜角度θで傾斜するように配置されている複数のミラーを有している。表示画面には、各ミラーに対向する表示領域に表示画像が表示される。ミラーとしては、典型的には、ハーフミラーが用いられる。表示画面の各表示領域には、典型的には、表示対象を異なる方向から見た表示画像が表示される。各ミラーは、典型的には、正多角形の底面と、底面の各辺と頂点との間に形成される複数の側面を有し、中心軸が、頂点と底面の中心を通る正角錐の側面に配置される。なお、請求項に記載されている「逆角錐」および「底面」は、仮想上の「逆角錐」および「底面」を意味し、実際に設けられている「逆角錐」および「底面」を意味するものではない。
本発明では、表示画面に対する各ミラーの傾斜角度θは、４５度より小さく設定されている（［θ＜４５度］）。これにより、各ミラーにより形成される虚像の結像位置を、表示画面の延在方向に沿って、逆角錐の中心軸より離れた位置に設定することができる。すなわち、表示画面の下方から視認しやすい位置に設定することができる。
さらに、本発明では、表示画面とミラーにより形成される逆角錐の頂点との間の距離（表示画面と各ミラーとの間の距離）Ｎは、各ミラーにより形成される虚像が、逆角錐の中心軸上に結像されるように設定されている。これにより、各ミラーの傾斜角度θを４５度より小さい角度に設定したことにともなって、逆角錐の中心軸から離れる方向に移動した虚像の結像位置が中心軸上に戻される。すなわち、表示画面の下方における虚像の視認領域を広げながら、虚像を逆角錐の中心軸上に結像させることができる。
また、表示画面の各表示領域には、各ミラーが表示画面に対して傾斜角度４５度で傾斜するように配置されている場合に表示される表示画像を、傾斜角度θに対応する角度だけ下方から見た表示画像が表示される。
表示画面に対する各ミラーの傾斜角度θを４５度より小さい角度に設定するとともに、各ミラーを表示画面から距離Ｎだけ離して配置した場合、逆角錐の中心軸に結合される虚像は、各ミラーが表示画面に対して傾斜角度４５度で傾斜するように配置されている場合に中心軸に結像される虚像に較べて、傾斜角度θに対応する角度だけ傾いている（下向きとなっている）。各ミラーが表示画面に対して傾斜角度４５度で傾斜するように配置されている場合に表示される表示画像を、傾斜角度θに対応する角度だけ下方から見た表示画像を表示画面に表示することにより、傾斜角度θおよび距離Ｎを適切に設定したことにともなう、画像（虚像）の傾きを補正することができる。
本発明では、表示画面に対する各ミラーの傾斜角度θを適切な角度に設定するとともに、各ミラーを表示画面から適切な距離だけ離して配置していることにより、表示画面の下方における視認領域を広げることができる。また、表示画面の下方から見た場合でも、自然な状態の画像（虚像）を視認することができる。
本発明の異なる形態では、表示画面に対する各ミラーの傾斜角度θが、［２０度≦θ≦３５度］の範囲内に設定されている。
本形態では、本発明の表示装置を装飾や広告を表示する表示媒体として用いるために、人が通行する箇所に設けた柱の上や遊技店の島の上等に設けた場合に、表示装置が配置されている箇所の付近を通行する歩行者や遊技者は、表示装置の下方から、表示装置により表示される装飾や広告等を容易に視認することができる。
本発明の他の異なる形態では、各ミラーの境界と表示画面の各表示領域の境界との間に遮光部材が配置されている。遮光部材は、典型的には、不透明な部材により板状に形成される。また、遮光部材は、典型的には、表示画面に対して直角な方向に延在するように配置される。
本形態では、正面のミラーに表示される虚像のみを視認することができる。
本発明の他の異なる形態では、表示手段は、各表示領域に対応する表示画面を有する複数の表示器により構成されている。
本形態では、小型の表示器を用いて構成することができる。また、表示領域毎に表示器を交換することができる。
【発明の効果】
【０００６】
本発明では、表示画面に表示される表示画像を、表示画面に対して傾斜して配置されているミラーで反射させる表示装置の、表示画面の下方における視認領域を広げることができる。
【図面の簡単な説明】
【０００７】
【図１】本発明の表示装置の一実施形態の概略構成を示す図である。
【図２】図１のＩＩ−ＩＩ線断面図である。
【図３】表示画面に表示される表示画像を説明する図である。
【図４】従来の表示装置を示す図である。
【図５】本発明の表示装置の概要を説明する図である。
【図６】一実施形態の表示装置の表示画面に表示する表示画像を説明する図である。
【図７】一実施形態の表示装置の制御回路を示す図である。
【図８】本発明の表示装置の一つの適用例を示す図である。
【図９】本発明の表示装置の他の適用例を示す図である。
【発明を実施するための形態】
【０００８】
以下に本発明の表示装置の実施形態を、図面を参照して説明する。
なお、本明細書では、「上方」あるいは「上側」という記載は、表示手段から見て、ミラーが配置されている側（表示画像を見る側）を示し、「下方」あるいは「下側」という記載は、表示手段から見て、ミラーが配置されている側と反対側を示す。また、「横方向」という記載は、表示手段の表示画面の延在方向（ミラーに対して、角錐の中心軸と反対側）を示す。
【０００９】
先ず、本発明の表示装置の概要を、図５を参照して説明する。
従来の表示装置では、表示手段４２０の表示画面４２０ａ上の箇所Ｐを頂点とする逆角錐の側面にミラーＭ１０が配置されている。ミラーＭ１０は、表示画面４２０ａに対して傾斜角度４５度で傾斜するように配置されている。これにより、ミラーＭ１０は、表示画面４２０ａの、ミラーＭ１０に対向する表示領域に表示される表示画像Ｇを反射させ、虚像Ｓ１０を、逆角錐の頂点Ｐを通る中心軸Ｙ上に結像させる。
【００１０】
従来の表示装置では、ミラーＭ１０の横方向の位置Ｅ１０からミラーＭ１０を見た場合には、逆角錐の中心軸Ｙ上に結像される虚像Ｓ１０を確実に視認することができる。
しかしながら、表示手段４２０の斜め下方向の位置Ｅ２０からミラーＭ１０を見た場合には、表示手段４２０が邪魔になり、逆角錐の中心軸Ｙ上に結像される虚像Ｓ１０全部を視認することができない。
【００１１】
位置Ｅ２０から、ミラーＭ１０により形成される虚像Ｓ１０全部を視認することができるようにするためには、虚像Ｓ１０の結像位置を移動させる必要がある。
虚像Ｓ１０の結像位置を、表示画面４２０ａの延在方向に沿って中心軸Ｙから離れる方向（位置Ｅ２０の方向）に移動させる方法として、ミラーＭ１０の傾斜角度を４５度より小さく設定する方法が考えられる。例えば、表示画面４２０ａに対する傾斜角度θが３０度となるように、図５に一点鎖線で示されているミラーＭ２０を配置する。ミラーＭ２０は、表示画面４２０ａに表示される表示画像Ｇを反射させて虚像Ｓ２０を形成する。
ミラーＭ２０の傾斜角度θが４５度より小さいため、図５に一点鎖線で示されている、ミラーＭ２０により形成される虚像Ｓ２０の結像位置は、図５に実線で示されている、傾斜角度θが４５度に設定されているミラーＭ１０により形成される虚像Ｓ１０の結像位置より位置Ｅ２０の方向に移動する。これにより、位置Ｅ２０からミラーＭ２０を見た場合に、虚像Ｓ２０全部を視認することができる（表示手段４２０の下方における視認領域を広げることができる）。
【００１２】
しかしながら、ミラーＭ２０により形成される虚像Ｓ２０の結像位置が逆角錐の中心軸Ｙより移動するため、表示対象を立体的に視認することが困難となる。
そこで、ミラーＭ２０により形成される虚像Ｓ２０の結像位置を、表示手段４２０の下方における視認領域を広げた状態を維持しながら、中心軸Ｙ上に移動させる必要がある。ミラーＭ２０により形成される虚像Ｓ２０の結像位置を中心軸Ｙ上に移動させる方法として、ミラーＭ２０を、中心軸Ｙに沿って、表示画面４２０ａから離れる方向に移動させる方法が考えられる。例えば、図５に破線で示されているように、中心軸Ｙに沿って、表示面４２０ａから間隔Ｎだけ離れた箇所Ｑに、表示画面４２０ａに対する傾斜角度θが３０度となるようにミラーＭ３０を配置する。この場合、中心軸Ｙに沿った、表示画面４２０ａ上の箇所Ｐから間隔Ｎだけ離れた箇所Ｑが、逆角錐の頂点となる。
【００１３】
なお、表示画面４２０ａに対する傾斜角度がθであるミラーＭ２０を、中心軸Ｙに沿って、表示画面４２０ａから間隔Ｎだけ離れた箇所に移動させる（傾斜角度がθであるミラーＭ３０を配置する）ことによって、虚像の結像位置を、図５に一点鎖線で示されている虚像Ｓ２０の位置から、図５に破線で示されている虚像Ｓ３０の位置に移動させることができる。この場合、ミラーＭ３０の傾斜角度θが４５度でないため、中心軸Ｙ上に結像される虚像Ｓ３０は、中心軸Ｙに対して傾斜角度θに対応する角度だけ傾いたものとなる。
このため、表示画面４２０ａに表示される表示画像Ｇとして、虚像Ｓ３０の傾きを補正することができる表示画像を用いるのが好ましい。例えば、表示画面４２０ａに表示する表示画像として、ミラーＭ１０が表示画面４２０ａに対して傾斜角度４５度で傾斜するように配置されている場合に表示画面４２０ａに表示される表示画像Ｇを、傾斜角度θに対応する角度だけ下方から見た表示画像を表示する。
【００１４】
次に、本発明の表示装置の一実施形態を説明する。
一実施形態の表示装置１０が、図１、図２に示されている。図１は、本実施形態の表示装置１０の概略構成を示す図であり、図２は、図１のＩＩ−ＩＩ線断面図である。
表示装置１０は、液晶表示器２０、ミラー３１ａ〜３１ｆ、遮光板４１ａ〜４１ｆにより構成されている。
【００１５】
液晶表示器２０は、平板状に形成されており、表示画面２０ａを有している。
ミラー３１ａ〜３１ｆは、表示画面２０ａから間隔Ｎだけ離れた箇所Ｑを頂点とする逆角錐の各側面に配置されている。本実施形態では、ミラー３１ａ〜３１ｆは、点Ｄ１〜Ｄ６を結ぶ線により形成される正６角形の底面と、点Ｄ１〜Ｄ６を結んだ、底面の各辺と頂点Ｑとの間に形成される二等辺三角形の側面により構成される正６角錐の側面に配置されている。すなわち、本実施形態のミラー３１ａ〜３１ｆは、点Ｄ１〜Ｄ６を結ぶ線と頂点Ｑを結ぶ線により形成される二等辺三角形の形状を有している。本実施形態では、ミラー３１ａ〜３１ｆとしてハーフミラーが用いられている。
なお、本明細書中に記載されている「逆角錐」、「角錐」および「底面」は、仮想上の「逆角錐」、「角錐」および「底面」を意味し、実際に設けられている「逆角錐」、「角錐」および「底面」を意味しているものではない。
遮光板４１ａ〜４１ｆは、ミラー３１ａ〜３１ｆの境界と表示画面２０ａとの間に配置されている。遮光板４１ａ〜４１ｆは、いずれかのミラー３１ａ〜３１ｆの虚像（画像）を見ている時に、隣接するミラーの虚像（画像）が見えないようにするためのものである。本実施形態では、遮光板４１ａ〜４１ｆは、不透明な部材により形成されている。
【００１６】
液晶表示器２０の表示画面２０ａは、図３に示されているように、点Ａ１〜Ａ６を結ぶ線により形成される正６角形の領域を有している。また、正６角形の領域は、点Ａ１〜Ａ６を結ぶ線と中心点Ｐにより形成される二等辺三角形の複数の分割領域２０Ａ〜２０Ｆに分割されている。分割領域２０Ａ〜２０Ｆは、正６角錐の側面に配置されるミラー３１ａ〜３１ｆに対向する位置に形成される。
分割領域２０Ａ〜２０Ｆには、表示対象を異なる方向から見た表示画像Ｇ１〜Ｇ６が表示される。例えば、分割領域２０Ａには、表示対象を正面（０度）から見た表示画像Ｇ１が表示され、分割領域２０Ｂには、表示対象を６０度の方向から見た表示画像Ｇ２が表示され、分割領域２０Ｃには、表示対象を１２０度の方向から見た表示画像Ｇ３が表示され、分割領域２０Ｄには、表示対象を背面（１８０度）から見た表示画像Ｇ４が表示され、分割領域２０Ｅには、表示対象を２４０度の方向から見た表示画像Ｇ５が表示され、分割領域２０Ｆには、表示対象を３００度の方向から見た表示画像Ｇ６が表示される。
これにより、各ミラー３１ａ〜３１ｆは、表示画面２０ａの対向する分割領域２０Ａ〜２０Ｆに表示される表示画像Ｇ１〜Ｇ６を反射させて、虚像Ｓ１〜Ｓ６を逆角錐の中心軸Ｙ上の同じ箇所に結像させる。したがって、観察者は、見る位置に応じて、表示対象の異なる方向からの画像（虚像）を見ることができるため、表示対象を立体的に視認することができる。
【００１７】
なお、本実施形態では、図２に示されているように、ミラー３１ｃ、３１ｆは、表示画面２０ａの分割領域２０Ｃ、２０ｆに表示される表示画像Ｇ３、Ｇ６を反射させて、虚像Ｓ３、Ｓ６を中心軸Ｙ上に結像させるように構成されている。
本実施形態における虚像Ｓ３、Ｓ６の中心軸Ｙ上の結像位置は、ミラー３１ｃ、３１ｆを、表示画面２０ａ上の箇所Ｐを頂点とする逆角錐の側面に、傾斜角度４５度で傾斜するように配置した場合における虚像の中心軸Ｙ上の結像位置より、表示画面２０ａから離れる方向に位置する。
これにより、本実施形態では、ミラー３１ｃ、３１ｆの傾斜角度が４５度に設定されている場合には完全に視認することができなかった、表示手段２０の斜め下方の位置Ｅ２０（図５参照）から、中心軸Ｙ上に結像される虚像Ｓ３、Ｓ６を確実に視認することができる。
【００１８】
本実施形態では、液晶表示器２０が、本発明の「表示手段」に対応し、遮光板４１ａ〜４１ｆが、本発明の「遮光部材」に対応する。
また、表示画面２０ａの分割領域２０Ａ〜２０Ｆが、本発明の「各ミラーに対向する表示領域」に対応する。
【００１９】
前述したように、各ミラーの傾斜角度θを４５度以下に設定するとともに、表示画面から距離Ｎだけ離れた箇所を頂点とする逆角錐の側面に各ミラーを配置した場合、中心軸Ｙ上に結像される虚像（図５に示されている虚像Ｓ３０）は、中心軸Ｙに対して、ミラーの傾斜角度θだけ傾いたものとなる。
このため、中心軸Ｙ上に結像される虚像の傾きを補正するのが好ましい。
本実施形態では、表示手段２０の表示画面２０ａの、各ミラー３１ａ〜３１ｆに対向する分割領域２０Ａ〜２０Ｆに、中心軸Ｙ上に結像される虚像の傾き角度θを考慮した表示画像を表示するように構成されている。
例えば、ミラーの傾斜角度θが４５度に設定される場合には、図６に示されている位置Ｃ１０から表示対象をカメラで撮像した画像を、表示画面２０ａに表示する表示情報として用いる。
一方、ミラーの傾斜角度θが４５度より小さい角度に設定される場合には、図６に示されているように、位置Ｃ１０より下方の位置Ｃ２０から表示対象をカメラで撮像した画像を、表示画面２０ａに表示する表示情報として用いる。
ここで、位置Ｃ２０は、位置Ｃ１０から表示対象を撮像する際の仰角が０度である場合、表示対象を撮像する際の仰角が、中心軸Ｙ上に結像される虚像Ｓ３０の傾き角度θと等しくなる位置に設定される。
これにより、中心軸Ｙ上に結像される虚像の傾きが補正されるため、良好に表示対象を立体的に視認することができる。
【００２０】
次に、本実施形態の表示装置１０の制御回路の一実施形態を、図７に示す。
本実施形態の表示装置１０の制御回路は、主制御手段１１０、記憶手段１２０、表示制御手段１３０、表示手段２０、音制御手段１４０、音発生手段１５０により構成されている。音発生手段１５０としては、例えば、スピーカが用いられる。
主制御手段１１０は、記憶手段１２０に記憶されているプログラムやデータ等に基づいて、表示制御信号を表示制御手段１３０に出力するとともに、音制御信号を音制御手段１４０に出力する。
表示制御手段１３０は、表示制御信号に基づいて、表示手段２０の表示画面２０ａの各分割領域２０Ａ〜２０Ｆに表示する表示画像Ｇ１〜Ｇ６を制御する。
音制御手段４０は、音制御信号に基づいて、音発生手段１５０から発生する音を制御する。
【００２１】
次に、表示画面２０ａに対するミラー３１ａ〜３１ｆの傾斜角度θについて検討する。
本実施形態の表示装置１０の使用方法としては、表示装置１０を装飾や広告を表示する表示媒体として用いることが考える。
先ず、歩行者が通行する箇所に配置する場合について検討する。この場合には、図８に示されているように、歩行者が通行する箇所に柱２００を設け、柱２００の上に表示装置１０を配置することが考えられる。
本実施形態の表示装置１０の大きさや付近を通行する歩行者からの視認性等を考慮すると、例えば、表示装置１０を配置する柱２００として、高さが２００ｃｍで、一辺が１００ｃｍの四角柱が用いられる。
また、表示装置１０により表示される画像（虚像）Ｓの大きさ等を考慮すると、柱２００の上方５０ｃｍの高さの位置に画像Ｓが表示され、この画像Ｓを、柱２００から５０ｃｍ〜２００ｃｍの範囲内を通行する歩行者が視認することができるように構成するのが好ましい。
これら条件を満足する傾斜角度θについて検討した結果、傾斜角度θを、［２０度≦θ≦３５度］の範囲内に設定すればよいことがわかった。なお、表示手段２０の表示画面２０ａとミラー３１ａ〜３１ｆ（ミラー３１ａ〜３１ｆにより形成される角錐の頂点Ｑ）との間の間隔Ｎは、表示装置１０により表示される画像Ｓの位置（高さ）とミラー３１ａ〜３１ｆの傾斜角度θに基づいて一義的に定まる。
【００２２】
次に、遊技店等に配置する場合について検討する。この場合には、図９に示されているように、遊技機が設置されている円形の島３００の上に表示装置１０を配置することが考えられる。
円形の島３００は、例えば、高さが２００ｃｍ、直径３４０ｃｍを有している。島３００の上に配置される表示装置１０により表示される画像（虚像）Ｓの大きさ、島３００の周囲を通行する遊技者からの視認性等を考慮すると、島３００の上方１００ｃｍの高さの位置に画像Ｓが表示され、この画像Ｓを、島３００から１００ｃｍ〜４００ｃｍの範囲内を通行する遊技者が視認することができるように構成するのが好ましい。
これら条件を満足する傾斜角度θについて検討した結果、傾斜角度θを、［３０度≦θ≦３５度］の範囲内に設定すればよいことがわかった。なお、表示手段２０の表示画面２０ａとミラー３１ａ〜３１ｆとの間の間隔Ｎは、表示装置１０により表示される画像Ｓの位置（高さ）とミラー３１ａ〜３１ｆの傾斜角度θに基づいて一義的に定まる。
【００２３】
以上のことから、本実施形態の表示装置１０を装飾や広告を表示する表示媒体として用いる場合には、表示手段２０の表示画面２０ａに対するミラー３１ａ〜３１ｆの傾斜角度θを［２０度≦θ≦３５度］の範囲内に設定することにより、表示装置１０が配置された箇所の周囲を通行する人は、表示装置１０による装飾や広告を容易に視認することができる。
【００２４】
本発明は、実施形態で説明した構成に限定されず、種々の変更、追加、削除が可能である。
ミラーとしては、ハーフミラー以外の種々の構成のミラーを用いることができる。
ミラーの配置態様としては、正６角形の底面を有する逆正６角錐の側面に配置する態様に限定されず、正６角形以外の正多角形の底面を有する逆正多角錐の側面に配置する態様や、多角形の底面を有する逆多角錐の側面に配置する態様を用いることができる。
ミラーの境界と表示画面との間に遮光板を配置したが、遮光板は省略することもできる。
表示手段は、液晶表示器以外の種々の表示器により構成することができる。
表示手段を１つの表示器により構成し、１つの表示器の表示画面を各ミラーに対向する分割領域に区分けしたが、各分割領域に対応する表示画面を有する複数の表示器により構成こともできる。
ミラーの傾斜角度θや、表示画面とミラーとの間の距離Ｈは、適宜の値に設定することができる。
表示手段の、各ミラーに対向する分割領域に、各ミラーが表示画面に対して傾斜角度４５度で傾斜するように配置されている場合に表示される表示画像を、傾斜角度θに対応する角度だけ下方から見た表示画像を表示することによりミラーにより形成される虚像の傾きを補正したが、虚像の傾きを補正する構成は省略することもできる。
本発明の表示装置の制御回路は、実施形態で説明した構成に限定されない。
実施形態で説明した各構成は、単独で用いることもできるし、適宜選択した複数を組み合わせて用いることもできる。
【符号の説明】
【００２５】
１０、４００  表示装置
２０、４２０  液晶表示器（表示手段）
２０ａ、４２０ａ  表示画面
２０Ａ〜２０Ｆ  分割領域（表示領域）
３１ａ〜３１ｆ、４３１ａ〜４３１ｆ、Ｍ１０、Ｍ２０、Ｍ３０  ミラー
４１ａ〜４１ｆ、４４１ａ〜４４１ｆ  遮光板
１１０  主制御手段
１２０  記憶手段
１３０  表示制御手段
１４０  音制御手段
１５０  音発生手段
２００  サイネージ
３００  島
【図１】
0006510840.tif 000002
【図２】
0006510840.tif 000003
【図３】
0006510840.tif 000004
【図４】
0006510840.tif 000005
【図５】
0006510840.tif 000006
【図６】
0006510840.tif 000007
【図７】
0006510840.tif 000008
【図８】
0006510840.tif 000009
【図９】
0006510840.tif 000010